(57)【特許請求の範囲】
【請求項１】
走行車であるトラクタに装着可能であり、肥料を投入して貯留できる進行方向横長状のホッパ内底部に、Ｕ字状の樋にリボン状ラセンに形成した撹拌羽根を有した回転軸を内設して原料を一方向へ撹拌しながら移送する撹拌部を構成し、該撹拌部の移送方向が互いに逆方向になるように撹拌部を隣接して平行に前後に二つ設け、該撹拌部のそれぞれの移送方向の末端に、隣接する相互の樋に原料を移動可能な掻き上げ材をそれぞれの回転軸に設けて原料が連続循環するように構成するとともに、撹拌部の移送方向の末端側底面にそれぞれ排出口を設け、該排出口は樋長さに対して移送方向の末端側に２分の１の長さに亘って開閉可能に複数個設けたことを特徴とした肥料散布機。
【請求項２】
前記排出口を開閉可能に設けたシャッターの落下口には、可撓性の肥料案内筒が挿着されて設けられていると共に、該案内筒下部の肥料出口部は、ホッパの下部に設けた横支持材の任意の位置でそれぞれ固定可能とした請求項１記載の肥料散布機。
【発明の詳細な説明】
【０００１】
【産業上の利用分野】
本発明はトラクタ等に装着する肥料散布機に関するもので、複数種類の肥料をホッパ内で混合できる構成に係るものである。
【０００２】
【従来の技術】
ホッパ内に複数種類の肥料を投入し、これらの肥料をホッパ内で混合して所定の圃場に肥料を散布する肥料散布機としては、実公平４−５３２３１号が知られる。
この肥料散布機は略円柱状のホッパの軸心部に複数のアームを取り付けてすくい角のある撹拌翼を設けて、この撹拌翼が回転することによって複数の肥料を混合し、混合した後に一個の繰り出し口から排出し回転散布板によって広巾散布しようとするものである。
【０００３】
【発明が解決しようとする課題】
公知の技術によれば混合の際、すくい角のある撹拌翼によって肥料を持ち上げながら混合するものでホッパ底面と上層部との混合に時間を要すること。又、混合の後一個の繰り出し口から排出するので単位時間の排出量に制限があり、畦巾上に厚播きする等は適さない。
【０００４】
【課題を解決するための手段】
前記した問題を解決する為に、走行車であるトラクタに装着可能であり、肥料を投入して貯留できる進行方向横長状のホッパ内底部に、Ｕ字状の樋にリボン状ラセンに形成した撹拌羽根を有した回転軸を内設して原料を一方向へ撹拌しながら移送する撹拌部を構成し、該撹拌部の移送方向が互いに逆方向になるように撹拌部を隣接して平行に前後に二つ設け、該撹拌部のそれぞれの移送方向の末端に、隣接する相互の樋に原料を移動可能な掻き上げ材をそれぞれの回転軸に設けて原料が連続循環するように構成するとともに、撹拌部の移送方向の末端側底面にそれぞれ排出口を設け、該排出口は樋長さに対して移送方向の末端側に２分の１の長さに亘って開閉可能に複数個設けたことを特徴とした肥料散布機を提供したものである。又前記排出口を開閉可能に設けたシャッターの落下口には、可撓性の肥料案内筒が挿着されて設けられていると共に、該案内筒下部の肥料出口部は、ホッパの下部に設けた横支持材の任意の位置でそれぞれ固定可能とした前記記載の肥料散布機を提供したものである。
【０００５】
【作用】
上記のようにＵ字状の樋に一方向へ撹拌しながら移送する撹拌部を構成し、相互に逆方向に組み合せて連続循環して撹拌するので、高速撹拌を可能にし、又、散布にあたって撹拌部のＵ字状樋の底面から直接排出散布するので、混合肥料の圧縮作用やブリッジが少なく円滑な混合と散布作業ができるようになった。さらに、排出口は樋の移送方向の末端側に幅方向の２分１の長さに亘ってそれぞれ設けているので、肥料残が最小になるまで排出可能であるから肥料の無駄がない。
【０００６】
【実施例】
本発明を実施した図面に基づいて構成を説明する。
図１は本発明を実施した側面図、図２はその平面図、図３は一部を省略した左側面図、図４はシャッターの開度調整説明図、図５は排出口とシャッターの説明図を示し、図６は背面図を示したものである。
【０００７】
図１と図２において１はパイプフレームを示し、このパイプフレーム１には４のトップブラケット、及び一対のロアピン５が取り付けられ、図示していないが本実施例はトラクタの三点リンクに装着できるものである。
【０００８】
１８はホッパで複数の肥料を投入するものである。ホッパ１８はＵ字状の樋１７に撹拌羽根１４を有した第１回転軸９を内設し、一方向へ回転移送するものであり、移送末端側に掻き上げ材１０を設けて、第１撹拌部を構成する。本実施例において、撹拌羽根はリボン状ラセンに形成されている。
【０００９】
１２は撹拌羽根１４１を有した第２回転軸からなる第２撹拌部を示し、前記した第１撹拌部の移送方向とは逆に向けて回転させ、末端に掻き上げ材１０１を設けて構成する。
【００１０】
１５は排出口を示し、第１撹拌部の樋１７の底面で、回転移送の末端側に複数個配列し、樋巾の略２分１の長さに亘っている。
１５１は第２撹拌部の移送末端側に設けた排出口である。
【００１１】
２は変速箱で前方に入力軸３を有し、左右のパイプフレーム１に連結されている。パイプフレームの一端には変速箱２からの出力軸が延出され６の駆動スプロケットが設けられる。７は第１スプロケットで第１回転軸を駆動し、８は第２スプロケットで第２回転軸１３を回転するもので、図１に示す矢印の回転方向で相互に隣接する内方に掬い上げるように回転する。
【００１２】
２３は制御ボックスを示し、電動モーターを内装し予め開度量と回転指示とが設定され、指示ロッド２４を動作させる。指示ロッド２４によってシャッターが摺動して排出口１５，１５１が開く。
【００１３】
図３において、１４１は第２撹拌部の撹拌羽根を示しているが、内方の矢印の方向へ回転する。相互に隣接する樋の内壁接合高さは、略回転軸芯高さと一致するスタンド２０は案内筒２２の最下端より幾分長めに設定され案内筒を地面の接触等から守り、必要によってキャスター２１を付けると移動に便利である。
【００１４】
図４において、制御ボックス２３はトラクタ運転席からシャッター開度スイッチを指示すると、内装した電動モータが設定量作動して指示ロッド２４を伸縮させて連結ロッド２５がシャッター１９を摺動させる。本実施例においては、指示ロッド２４は支軸２６を支点として揺動する揺動板２７の一端を指示して、前後に配置されるシャッター１９を摺動してホッパ１８の全巾に亘って散布される。ホッパ１８の２分１の巾で散布する場合は、一方の連結ロッド２５を外しておくとよい。
【００１５】
図５において、Ｕ字状の樋１７１の底面には略五角形の排出口が設けられている。この樋１７１の下面にはシャッター１９を密着させて設けている。シャッター１９には四角状の落下口２８が設けられ、落下口２８には可撓性の案内筒２２が設けられている。
【００１６】
図６において、ホッパ１８の下部に掛け渡した横支持材２９に落下口２８に設けた案内筒２２の下部を固定している。この横支持材２９には任意に切欠溝が設けられて、栽培畦の中心部や、所望する畦筋状に合致するように案内筒を束ねて散布することが可能である。
【００１７】
【効果】
以上のように構成してので、複数の肥料の混合、特に近年普及している繊維状の水分の含んだ有機質肥料の高速混合等にも対応できて便利である。
【図面の簡単な説明】
【図１】  本発明を実施した右側面図
【図２】  平面図
【図３】  一部を省略した左側面図
【図４】  シャッターの開度調整説明図
【図５】  排出口とシャッターの説明図
【図６】  背面図
【符号の説明】
１  パイプフレーム
２  変速箱
３  入力軸
４  トップブラケット
５  ロアピン
６  駆動スプロケット
７  第１スプロケット
８  第２スプロケット
９  第１回転軸
１０，１０１  掻き上げ材
１１  第１撹拌部
１２  第２撹拌部
１３  第２回転軸
１４，１４１  撹拌羽根
１５  排出口
１７，１７１  樋
１８  ホッパ
１９  シャッター
２０  スタンド
２１  キャスター
２２  案内筒
２３  制御ボックス
２４  指示ロッド
２５  連結ロッド
２６  支軸
２７  揺動板
２８  落下口
２９  横支持材
【図１】
0003978651.tif 000002
【図２】
0003978651.tif 000003
【図３】
0003978651.tif 000004
【図４】
0003978651.tif 000005
【図５】
0003978651.tif 000006
【図６】
0003978651.tif 000007